【手続補正書】
【提出日】平成25年5月23日(2013.5.23)
【手続補正１】
【補正対象書類名】特許請求の範囲
【補正対象項目名】全文
【補正方法】変更
【補正の内容】
【特許請求の範囲】
【請求項１】
網状構造体の節点要素（１４）のための接合手段であって、
フレーム材（１５）と、
内側コネクター部分（１９）及び外側コネクター部分（１８）と、
前記節点要素（１４）に付設されて前記内側コネクター部分（１９）を通過して摺動可能に延在している引張り支持具（２０）であり、該引張り支持具（２０）と前記内側コネクター部分（１９）が協働するように構成されて、前記節点要素（１４）から引張り支持具（２０）に沿った前記内側コネクター部分（１９）の移動制限位置を画定する引張り支持具（２０）と、
前記内側コネクター部分（１９）と前記フレーム材（１５）との間にあって前記フレーム材（１５）の引張りに抵抗するように形成された第１のネジ接合手段（３４、４０）であり、前記フレーム材（１５）の圧縮力を前記内側コネクター部分（１９）へ付加するためのスラスト座面（４２）を画定する第１のネジ接合手段（３４、４０）と、
前記内側コネクター部分（１９）と前記外側コネクター部分（１８）の間にあって前記内側コネクター部分（１９）を介して前記外側コネクター部分へ付加される前記フレーム材（１５）の圧縮負荷を受けて該圧縮負荷を前記節点要素（１４）へ送る第２のネジ接合手段（３６、３８）であり、
完成した接合手段において前記内側コネクター部分（１９）が前記節点要素（１４）に対して前記移動制限位置にあるときに、前記フレーム材（１５）が前記内側コネクター部分（１９）の前記スラスト座面（４２）に係合し、前記外側コネクター部分（１８）が圧縮されて前記節点要素（１４）に当接するように、前記引張り支持具（２０）と前記内側コネクター部分（１９）及び前記外側コネクター部分（１８）の寸法が定められている、第２のネジ接合手段（３６、３８）と、
を有し、
第２のネジ接合手段（３６、３８）に係る第２ネジ径は、第１のネジ接合手段（３４、４０）に係る第１ネジ径よりも大きいことを特徴とする改良された接合手段。
【請求項２】
前記内側コネクター部分が雌ネジと雄ネジを有していることを特徴とする請求項１に記載の接合手段。
【請求項３】
前記外側コネクター部分が前記内側コネクター部分の雄ネジと螺合する雌ネジを有していることを特徴とする請求項２に記載の接合手段。
【請求項４】
前記フレーム材が内側コネクター部分の雌ネジと螺合する雄ネジを一端に有していることを特徴とする請求項２に記載の接合手段。
【請求項５】
前記内側コネクター部分の雌ネジが引張り鋸歯ネジを有していることを特徴とする請求項２に記載の接合手段。
【請求項６】
前記内側コネクター部分の雄ネジが圧縮鋸歯ネジを有していることを特徴とする請求項２に記載の接合手段。
【請求項７】
前記内側コネクター部分が第１の雄ネジと第２の雄ネジを有していることを特徴とする請求項１に記載の接合手段。
【請求項８】
前記フレーム材が前記内側コネクター部分の第２の雄ネジと螺合する雌ネジを一端に有していることを特徴とする請求項７に記載の接合手段。
【請求項９】
前記外側コネクター部分の雌ネジと前記内側コネクター部分の第１の雄ネジが圧縮鋸歯ネジを有していることを特徴とする請求項７に記載の接合手段。
【請求項１０】
前記内側コネクター部分が上端と下端と中空部とを具えた端部キャップを有しており、引張りコネクターが端部キャップの下端を貫通延在し、前記フレーム材が前記端部キャップの上端を貫通延在して中空部内に延在していることを特徴とする請求項１に記載の接合手段。
【請求項１１】
前記スラスト座面が前記内側コネクター部分の中空部内に肩部を有しており、前記フレーム材の一端が肩部に当接して、前記フレーム材の圧縮力を前記内側コネクター部分へ付加することを特徴とする請求項１０に記載の接合手段。
【請求項１２】
前記外側コネクター部分が前記フレーム材に対して摺動可能であることを特徴とする請求項１に記載の接合手段。
【請求項１３】
前記節点要素に当接するために前記外側コネクター部分が前記フレーム材を越えて延在可能であることを特徴とする請求項１に記載の接合手段。
【請求項１４】
前記外側コネクター部分の圧縮スリーブが前記内側コネクター部分と前記フレーム材とを取り囲むのに充分な直径を有していることを特徴とする請求項１に記載の接合手段。
【請求項１５】
前記引張り支持具が引張りボルトを有していることを特徴とする請求項１に記載の接合手段。
【請求項１６】
前記引張りボルトが頭部を有しており、該頭部が前記節点要素から前記引張りボルトに沿った前記内側コネクター部分の前記移動制限位置を画定することを特徴とする請求項１５に記載の接合手段。
【請求項１７】
前記引張り支持具が中空であることを特徴とする請求項１に記載の接合手段。
【請求項１８】
前記フレーム材が前記節点要素に連結されたときに、前記引張り支持具が前記フレーム材と前記節点要素との間の隙間を画定することを特徴とする請求項１に記載の接合手段。
【請求項１９】
前記引張り支持具がスタッドと１対のナットとを有しており、前記スタッドと１対のナットとが前記節点要素から前記引張り支持具に沿っての前記内側コネクター部分の前記移動制限位置を調節可能とするように形成されていることを特徴とする請求項１に記載の接合手段。
【請求項２０】
前記フレーム材が、長さを有し、その長さの全部に亙って実質的に均一な断面を有していることを特徴とする請求項１に記載の接合手段。
【請求項２１】
前記フレーム材が円筒状であることを特徴とする請求項１に記載の接合手段。
【請求項２２】
さらに前記内側コネクター部分を前記フレーム材に接合するブッシュが設けられていることを特徴とする請求項１に記載の接合手段。
【請求項２３】
前記内側コネクター部分、前記外側コネクター部分、前記フレーム材および前記引張り支持具が同軸関係に配列されていることを特徴とする請求項１に記載の接合手段。
【請求項２４】
接合端部を具えたフレーム材を網状構造体の節点要素（１４）に接合する方法であって、
（ａ）内側コネクター部分（１９）がストップ（３０）に接触するまで前記節点要素（１４）から離れる経路に沿って移動することを可能にしながら、前記内側コネクター部分（１９）及び外側コネクター部分（１８）の内の前記内側コネクター部分（１９）を前記節点要素（１４）に捕捉させるステップと、
（ｂ）前記内側コネクター部分（１９）を前記ストップ（３０）から離間させて前記フレーム材の接合端部を前記内側コネクター部分（１９）と整列させるステップと、
（ｃ）前記節点要素（１４）から前記ストップ（３０）に向けて前記内側コネクター部分を動かすステップと、
（ｄ）前記フレーム材の接合端部と前記内側コネクター部分（１９）との間に接合を達成し、これにより前記内側コネクター部分を実質的に前記ストップ（３０）において位置付け、前記フレーム材の接合端部から前記内側コネクター部分が引き離されるのを防止し、かつ前記経路に実質的に直交する面内で前記フレーム材の接合端部を前記内側コネクター部分（１９）と対面当接させるステップと、
（ｅ）前記外側コネクター部分（１８）を前記内側コネクター部分（１９）の周りに取付けてこれらの間に接合を達成し、これにより前記外側コネクター部分を前記節点要素（１４）と圧縮当接させ、前記内側コネクター部分（１９）の前記節点要素（１４）に向かう移動を防止するステップと、
を含む接合方法であって、
前記捕捉させるステップは、前記内側コネクター部分（１９）を通過して引張り支持具（２０）を挿入し、該引張り支持具（２０）を前記節点要素（１４）に結合させるステップを備え、
前記フレーム材（１５）の接合端部と前記内側コネクター部分（１９）との間に接合を達成するステップは、前記フレーム材（１５）を内側コネクター部分（１９）にネジ係合させるステップを備え、
前記外側コネクター部分（１８）と前記内側コネクター部分（１９）との間に接合を達成するステップは、前記外側コネクター部分（１８）を前記内側コネクター部分（１９）にネジ係合させるステップを備えることを特徴とする接合方法。